(57)【要約】本発明の一実施例による授乳量測定のための授乳クッション（１００）は、母乳授乳母（Ｍ）がベビー（Ｂ）に母乳授乳することができる授乳クッションにおいて、ベビー（Ｂ）が支持される支持溝（１１０ａ）が形成されている授乳クッション本体（１１０）と、前記授乳クッション本体（１１０）の底面に配置されて、前記支持溝（１１０ａ）にベビー（Ｂ）が寝かされた状態で前記授乳クッション本体（１１０）の底面が全体的に支持され、外部から加えられる電磁波が遮られる授乳クッション支持パネル（１２０）と、前記授乳クッション支持パネル（１２０）の底面に配置されて、母乳授乳前後の前記ベビー（Ｂ）の体重が測定されるロードセル（１３０）と、前記ロードセル（１３０）が加圧されるように授乳クッション支持パネル（１２０）が置かれた状態で前記授乳クッション支持パネル（１２０）に置かれている授乳クッション本体（１１０）を包む外被部材（１４０）と、ロードセル（１３０）で測定される母乳授乳前後の前記ベビー（Ｂ）の体重が表示されて、前記外被部材（１４０）に選択的に着脱可能に設置されて、母乳授乳をモニタリングすることができるデジタル装置（１５０）とを含むことを特徴とする。それにより、前記のように構成される本発明の授乳量測定のための授乳クッションと授乳椅子及びこれを活用した授乳方法によれば、ミルク授乳母の場合、授乳量を測定して子供に一定時間の間隔で授乳することができることと違って、母乳授乳母の場合にも母乳授乳量を確認することにより、適正量の母乳授乳をすることができるようにする効果を奏する。
2018512199.tif 000002
【特許請求の範囲】
【請求項１】
母乳授乳母（Ｍ）がベビー（Ｂ）に対して母乳授乳量をモニタリングすることができる授乳クッションにおいて、
ベビー（Ｂ）の体が支持される支持溝（１１０ａ）が形成されている授乳クッション本体（１１０）と、
前記授乳クッション本体（１１０）の底面に配置されて、前記支持溝（１１０ａ）にベビー（Ｂ）が寝かされた状態で前記授乳クッション本体（１１０）の底面が全体的に支持され、外部から加えられる電磁波が遮られる授乳クッション支持パネル（１２０）と、
前記授乳クッション支持パネル（１２０）の底面に配置されて、母乳授乳前後の前記ベビー（Ｂ）の体重が測定されるロードセル（１３０）と、
前記ロードセル（１３０）が加圧されるように授乳クッション支持パネル（１２０）が置かれた状態で前記授乳クッション支持パネル（１２０）に置かれている授乳クッション本体（１１０）を包む外被部材（１４０）と、
前記ロードセル（１３０）で測定される母乳授乳前後の前記ベビー（Ｂ）の体重が表示され、前記外被部材（１４０）に選択的に着脱可能に設置されて、母乳授乳量をモニタリングすることができるデジタル装置（１５０）とを含むことを特徴とする母乳授乳量をモニタリングすることができる授乳クッション。
【請求項２】
前記支持溝（１１０ａ）は、
前記ベビー（Ｂ）の体が支持されるように凹まれて形成され、
内部に綿を入れて形成するか、平らなポリウレタン（ＰＵ）、ポリエチレン（ＰＥ）のスポンジ（ｓｐｏｎｇｅ）を入れて形成することを特徴とする請求項１に記載の母乳授乳量をモニタリングすることができる授乳クッション。
【請求項３】
前記ロードセル（１３０）は、
前記ベビー（Ｂ）の体重を１０ｇ以内の重量増減を感知することができる電子式ロードセルであることを特徴とする請求項１に記載の母乳授乳量をモニタリングすることができる授乳クッション。
【請求項４】
前記外被部材（１４０）は授乳クッション本体（１１０）を全体的に包むと同時に、両端部が抱っこ紐結合部材（１４０ｂ）によって選択的に結合されたり分離されることができる一対の抱っこ紐部材（１４０ａ）をさらに備えることを特徴とする請求項１に記載の母乳授乳量をモニタリングすることができる授乳クッション。
【請求項５】
前記デジタル装置（１５０）は、
別途のディスプレイ手段が備えられる装置であって、
母乳授乳量をモニタリングすることができるアプリケーションが設置されているモバイル器機であることを特徴とする請求項１に記載の母乳授乳量をモニタリングすることができる授乳クッション。
【請求項６】
授乳クッションが着脱可能に設置される授乳椅子において、
母乳授乳母（Ｍ）が着席する座板部材（２１０）と、
前記座板部材（２１０）に結合されて、底面に支持されるフレーム部材（２２０）と、
前記フレーム部材（２２０）に連結されており、授乳クッションの高さを調節することができる授乳椅子高さ調節手段（２３０ａ）と、授乳クッション結合角度が調節される授乳椅子結合角度調節手段（２３０ｂ）とが備えられる授乳椅子支持フレーム（２３０）と、
前記支持フレーム（２３０）に着脱可能に設置されて、母乳授乳量をモニタリングすることができ、一側にはベビー（Ｂ）の体が支持される支持溝（１１０ａ）が備えられる授乳クッション（１００）とを含み、
前記授乳椅子高さ調節手段（２３０ａ）と授乳椅子結合角度調節手段（２３０ｂ）は前記授乳クッション（１００）の前記支持溝（１１０ａ）に寝かされている前記ベビー（Ｂ）が接触されないように配置されることを特徴とする授乳量測定のための測定クッションが備えられる母乳授乳量測定用授乳椅子。
【請求項７】
授乳クッションが着脱可能に設置される授乳テーブルにおいて、
母乳授乳母（Ｍ）が座ったり横になることができるテーブル本体（３１０）と、
前記テーブル本体（３１０）に結合されて、授乳量授乳測定クッションが置かれることができる授乳テーブル支持部材（３２０）と、
母乳授乳量をモニタリングすることができ、一側にはベビー（Ｂ）の体が支持される支持溝（１１０ａ）が備えられる授乳クッション（１００）と、
前記授乳テーブル支持部材（３２０）に結合されて、前記授乳テーブル支持部材（３２０）の高さを調節することができる授乳テーブル高さ調節手段（３４０ａ）と、前記授乳テーブル支持部材（３２０）の結合角度が調節されることができる授乳テーブル結合角度調節手段（３４０ｂ）とが備えられる授乳テーブル支持フレーム（３４０）と、
前記支持フレーム（３４０）の最下端部に結合されて、前記テーブル本体（３１０）が底面（Ｆ）に対して移動されることができる移動用タイヤ（Ｗ）とを含むことを特徴とする授乳テーブル。
【請求項８】
母乳授乳量モニタリング方法において、
ベビー（Ｂ）が授乳クッション（１００）の授乳クッション本体（１１０）の支持溝（１１０ａ）に置かれる段階（Ｓ１１０）と、
授乳クッション（１００）の授乳クッション本体（１１０）の支持溝（１１０ａ）にベビー（Ｂ）が置かれた後、ロードセル（１３０）によって母乳授乳前の体重が測定される段階（Ｓ１２０）と、
測定された母乳授乳前の前記ベビー（Ｂ）の体重がデジタル装置（１５０）に表示される段階（Ｓ１３０）と、
母乳授乳母（Ｍ）によってベビー（Ｂ）に母乳授乳が行われる段階（Ｓ１４０）と、
ロードセル（１３０）によって母乳授乳後の体重が測定される段階（Ｓ１５０）と、
測定された母乳授乳後の前記ベビー（Ｂ）の体重がデジタル装置（１５０）に表示される段階（Ｓ１６０）と、
母乳授乳前の前記ベビー（Ｂ）の体重と母乳授乳後の前記ベビー（Ｂ）の体重が比較判断される段階（Ｓ１７０）とを含むことを特徴とする母乳授乳量をモニタリングすることができる授乳クッションを活用した母乳授乳量モニタリング方法。
【発明の詳細な説明】
【技術分野】
【０００１】
本発明は母乳授乳量をモニタリングすることができる授乳クッションに関し、特にミルクを授乳する母親の場合、授乳量を測定して子供に一定の時間間隔で授乳することができて、一定量を一定の時間間隔でミルクを授乳することができる一方、母乳を授乳する母親の場合母乳授乳量を確認することができなくて、果てしなく食べたがる子供にどれだけ頻繁に食べさせていいかをモニタリングし、それによって適正量の母乳を授乳することができる母乳授乳量をモニタリングすることができる授乳クッションと授乳椅子及びこれを活用した母乳授乳量モニタリング方法に関する。
【背景技術】
【０００２】
最近、授乳時にベビーと母親の便宜のために多様な形態の授乳クッションが提供されている。
【０００３】
このような授乳クッションは、主に内部に綿を入れて形成するか、平らなポリウレタン（ＰＵ）、ポリエチレン（ＰＥ）などのスポンジ（ｓｐｏｎｇｅ）を入れて形成して乳児を支えるようにしている。
【０００４】
この時、綿を入れて形成される授乳クッションの場合、ベビーが置かれる面が曲率を有して形成されるため、授乳時に母親がベビーを支えなければならないという問題点がある。
【０００５】
そして、スポンジを入れて形成される授乳クッションの場合、平らな面の確保が可能であるが、これも授乳クッションの高さを考慮すれば授乳時にベビーを支えなければならない必要性がある。
【０００６】
一方、大韓民国登録実用新案公報登録番号第２０−０３０４１２３号では、図１に示すように、「補助枕が結合された授乳用クッション」は、クッション本体が産婦の腹部周りに密着されることができるようにクッション本体の両端を「Ｃ」字状になるように構成し、背面にスライドファスナーが設置され、内側にクッション材が収容される内皮と背面にスライドファスナーが設置され、内皮の外側に上記内皮を包む外被及び上記外被両側に両端が結合された固定バンドからなる補助枕がクッション本体に着脱可能に結合された構造を有する授乳クッションを提案している。
【０００７】
そして、大韓民国登録実用新案公報登録番号第２０−０３４３１６４号では、「多用途クッション」は中央部に向けて漸次に拡大される直径を有するように形成され、開放部を有する円形に形成され、クッション部材とその外側を包む内皮の単一体で構成される内部フォームと、上記内部フォームを包む同一形状に形成され、開放部に締結手段が一体で設置される外被を含む多用途クッションを提案している。
【０００８】
また、大韓民国登録実用新案公報登録番号第２０−０３８９９２０号では、図２に示すように、「多用途で使用可能な乳児用授乳クッション」は授乳クッション本体の頭支持部が足支持部より高さを高くして、頭部分が高く位置されるようにしたことにより、授乳時に乳児が摂取する食べ物が逆流されないで容易に飲むことができ、安着本体の上面には頭部から足部へ延長される深い溝が複数形成されていて、乳児が安着本体で滑ることが防止される構造を有し、上記頭部の両側の辺縁には上方に突出された頭離脱防止台が形成され、上記足部の両側の辺縁には上方に突出された足離脱防止台が形成される授乳クッションを提案している。
【０００９】
一方、大韓民国登録実用新案公報登録番号第２０−０３９９２９１号では、「乳児用授乳クッション」は授乳クッション本体の頭支持部が足支持部より高さを高くして頭部が高く位置されるように成形された乳児用授乳クッションの中間部に位置される尻支持部から上記足支持部まで上向きに傾斜するようにし、上記頭部の両側の辺縁には上方に突出された頭離脱防止台が形成され、上記足部の両側の辺縁には上方に突出された足離脱防止台が形成される授乳クッションを提案している。
【００１０】
しかしながら、上記のように構成される従来技術にもかかわらず、適正量の母乳を授乳することができる母乳授乳量を測定するための授乳クッション及びこれを活用した授乳方法の開発が持続的に要求されるのに至った。
【先行技術文献】
【特許文献】
【００１１】
【特許文献１】大韓民国登録実用新案公報登録番号第２０−０３０４１２３号
【特許文献２】大韓民国登録実用新案公報登録番号第２０−０３４３１６４号
【特許文献３】大韓民国登録実用新案公報登録番号第２０−０３８９９２０号
【特許文献４】大韓民国登録実用新案公報登録番号第２０−０３９９２９１号
【発明の概要】
【発明が解決しようとする課題】
【００１２】
本発明はミルクを授乳する母親の場合、授乳量を測定して子供に一定の時間間隔で授乳することと違って、母乳を授乳する母親の場合にも母乳授乳量を確認することにより、適正量の母乳を授乳することができるようにする母乳授乳量をモニタリングすることができる授乳クッションと授乳椅子及びこれを活用した母乳授乳量モニタリング方法を提供することにその目的がある。
【課題を解決するための手段】
【００１３】
上述したような目的を達するための本発明の特徴によれば、本発明の一実施例による授乳量の測定のための授乳クッション１００は、母乳授乳母ＭがベビーＢに対して母乳授乳量をモニタリングすることができる授乳クッションにおいて、ベビーＢの体が支持される支持溝１１０ａが形成されている授乳クッション本体１１０と、上記授乳クッション本体１１０の底面に配置されて、上記支持溝１１０ａにベビーＢが寝かされた状態で上記授乳クッション本体１１０の底面が全体的に支持され、外部から加えられる電磁波が遮られる授乳クッション支持パネル１２０と、上記授乳クッション支持パネル１２０の底面に配置され、母乳の授乳前後の上記ベビーＢの体重が測定されるロードセル１３０と、上記ロードセル１３０が加圧されるように授乳クッション支持パネル１２０が置かれた状態で上記授乳クッション支持パネル１２０に置かれる授乳クッション本体１１０を包む外被部材１４０と、上記ロードセル１３０で測定される母乳授乳前後の上記ベビーＢの体重が表示され、上記外被部材１４０に選択的に着脱可能に設置されて、母乳授乳量をモニタリングすることができるデジタル装置１５０とを含むことを特徴とする。
【００１４】
そして、上記支持溝１１０ａは上記ベビーＢの体が支持されるように凹まれるように形成され、内部に綿を入れて形成するか、平らなポリウレタン（ＰＵ）、ポリエチレン（ＰＥ）のスポンジ（ｓｐｏｎｇｅ）を入れて形成されることを特徴とする。
【００１５】
また、上記ロードセル１３０は上記ベビーＢの体重を１０ｇ以内の重量増減を感知することができる電子式ロードセルであることを特徴とする。
【００１６】
ここで、上記外被部材１４０は授乳クッション本体１１０を全体的に包むと同時に、両端部が抱っこ紐結合部材１４０ｂによって選択的に結合されたり分離されることができる一対の抱っこ紐部材１４０ａをさらに備えることを特徴とする。
【００１７】
そして、上記デジタル装置１５０は別途のディスプレイ手段が備えられる装置であって、母乳授乳量をモニタリングすることができるアプリケーションが設置されているモバイル器機であることを特徴とする。
【００１８】
そして、本発明の授乳量測定のための測定クッションが備えられる母乳授乳量測定用授乳椅子２００は、授乳クッションが着脱可能に設置される授乳椅子であって、母乳授乳母Ｍが着席する座板部材２１０と、上記座板部材２１０に結合されて、底面に支持されるフレーム部材２２０と、上記フレーム部材２２０に連結され、授乳クッションの高さを調節することができる授乳椅子高さ調節手段２３０ａと授乳クッション結合角度が調節される授乳椅子結合角度調節手段２３０ｂとが備えられる授乳椅子支持フレーム２３０と、上記支持フレーム２３０に着脱可能に設置されて、母乳授乳量をモニタリングすることができ、一側にはベビーＢの体が支持される支持溝１１０ａが備えられている授乳クッション１００とを含み、上記授乳椅子高さ調節手段２３０ａと授乳椅子結合角度調節手段２３０ｂは上記授乳クッション１００の上記支持溝１１０ａに寝かされいる上記ベビーＢが接触されないように配置されることを特徴とする。
【００１９】
また、本発明の授乳テーブル３００は、授乳クッションが着脱可能に設置される授乳テーブルであって、母乳授乳母Ｍが座ったり横になることができるテーブル本体３１０と、上記テーブル本体３１０に結合されて、授乳量授乳測定クッションが置かれることができる授乳テーブル支持部材３２０と、母乳授乳量をモニタリングすることができ、一側にはベビーＢの体が支持される支持溝１１０ａが備えられる授乳クッション１００と、上記授乳テーブル支持部材３２０に結合されて、上記授乳テーブル支持部材３２０の高さを調節することができる授乳テーブル高さ調節手段３４０ａと上記授乳テーブル支持部材３２０の結合角度が調節されることができる授乳テーブル結合角度調節手段３４０ｂとが備えられる授乳テーブル支持フレーム３４０と、上記授乳テーブル支持フレーム３４０の最下端部に結合されて、上記テーブル本体３１０が底面Ｆに対して移動されることができる移動用タイヤＷとを含むことを特徴とする。
【００２０】
そして、本発明の母乳授乳量をモニタリングすることができる授乳クッションを活用した母乳授乳量モニタリング方法は、母乳授乳量モニタリング方法であって、ベビーＢが授乳クッション１００の授乳クッション本体１１０の支持溝１１０ａに置かれる段階Ｓ１１０と、授乳クッション１００の授乳クッション本体１１０の支持溝１１０ａにベビーＢが置かれた後、ロードセル１３０によって母乳授乳前後の体重が測定される段階Ｓ１２０と、測定された母乳授乳前の上記ベビーＢの体重がデジタル装置１５０に表示される段階Ｓ１３０と、母乳授乳母ＭによってベビーＢに母乳授乳が行われる段階Ｓ１４０と、ロードセル１３０によって母乳授乳後の体重が測定される段階Ｓ１５０と、測定された母乳授乳後の上記ベビーＢの体重がデジタル装置１５０に表示される段階Ｓ１６０と、母乳授乳前の上記ベビーＢの体重と母乳授乳後の上記ベビーＢの体重が比較判断される段階Ｓ１７０とを含むことを特徴とする。
【発明の効果】
【００２１】
従って、上記のように構成される本発明の一実施例の母乳授乳量をモニタリングすることができる授乳クッションと授乳椅子及びこれを活用した母乳授乳量モニタリング方法によれば、母乳母親の場合にも母乳授乳量を確認することにより、適正量の母乳を授乳することができるという効果を奏する。
【００２２】
さらに、本発明の授乳量をモニタリングすることができる授乳クッションと授乳椅子及びこれを活用した母乳授乳量モニタリング方法によれば、母乳授乳母によってベビーが授乳クッションの授乳クッション本体支持溝に置かれた状態で、上記母乳授乳母とベビーが楽であると同時に、母乳授乳前の上記ベビーの体重と母乳授乳後の上記ベビーの体重が正確に測定されることができるまた他の効果を奏する。
【図面の簡単な説明】
【００２３】
【図１】従来技術による補助枕が結合された授乳用クッションを示した外形図である。
【図２】従来技術による足離脱防止台が形成される授乳クッションを示した外形図である。
【図３】本発明の一実施例による授乳量測定のための授乳クッションを示した外形図である。
【図４】本発明の授乳量測定のための授乳クッションを活用して母乳授乳母が母乳を授乳する概路図である。
【図５】本発明の授乳量測定のための授乳クッションが授乳椅子に連結されていることを示した外形図である。
【図６】本発明の授乳量測定のための授乳クッションが授乳テーブルに連結されていることを示した外形図である。
【図７】本発明の授乳量測定のための授乳クッションを活用した授乳方法を示した流れ図である。
【発明を実施するための形態】
【００２４】
以下、本発明の好ましい実施例の詳細な説明は添付された図面を参照して説明する。以下で本発明を説明する際において、係わる公知機能または構成に対する具体的な説明が本発明の要旨を不必要に曖昧にする虞があると判断される場合にはその詳細な説明を省略する。
【００２５】
本発明の概念による実施例は多様な変更を加えることができ、様々な形態を有することができるので、特定実施例を図面に例示し、本明細書または出願に詳細に説明することにする。
【００２６】
しかし、これは本発明の概念による実施例を特定の開示形態に対して限定しようとするのではなく、本発明の思想及び技術範囲に含まれる全ての変更、均等物ないし代替物を含むことに理解すべきである。
【００２７】
ある構成要素が他の構成要素に「連結されて」いたり「接続されて」いると言及された時には、その他の構成要素に直接連結されていたりまたは接続されていることもできるが、中間に他の構成要素が存在することもできることで理解すべきである。一方、ある構成要素が他の構成要素に「直接連結されて」いたり「直接接続されて」いると言及された時には、中間に他の構成要素が存在しないことで理解すべきである。構成要素との関係を説明する他の表現、即ち「〜間に」と「直〜間に」または「〜に隣接する」と「〜に直接隣接する」なども同じく解釈すべきである。
【００２８】
本明細書で用いた用語はただ特定の実施例を説明するために用いられたもので、本発明を限定する意図はない。単数の表現は文脈上明白に違うように意味しな限り、複数の表現を含む。本明細書で、「含む」または「有する」などの用語は実施された特徴、数字、段階、動作、構成要素、部分品またはこれらを組み合わせたものが存在することを指定するためであり、一つまたはそれ以上の他の特徴や数字、段階、動作、構成要素、部分品またはこれらを組み合わせたものなどの存在または付加可能性を予め排除しないことに理解すべできある。
【００２９】
明細書全体にかけて同じ参照符号は同じ構成要素を指称する。
【００３０】
図３は本発明の一実施例による授乳量測定のための授乳クッションを示した外形図であり、図４は本発明の授乳量測定のための授乳クッションを活用して母乳授乳母が母乳を授乳する概路図である。
【００３１】
図３及び図４に示すように、本発明の一実施例による母乳授乳量をモニタリングすることができる授乳クッション１００は、母乳授乳対象であるベビーＢが寝かされて楽に支持されることができる支持溝１１０ａが上側方向に形成されている授乳クッション本体１１０が外被部材１４０によって周りが包まれるもので、上記ベビーＢに対して母乳授乳前と母乳授乳後の体重を測定することにより、適正量の母乳授乳をすることができるように母乳授乳量をモニタリングすることができる授乳クッションである。
【００３２】
図３に示すように、本発明の母乳授乳量をモニタリングすることができる授乳クッション１００は、母乳授乳母ＭがベビーＢに対して母乳授乳量をモニタリングすることができる授乳クッションであって、ベビーＢの体が支持される支持溝１１０ａが形成されている授乳クッション本体１１０と、上記授乳クッション本体１１０の底面に配置されて、上記支持溝１１０ａにベビーＢが寝かされた状態で上記授乳クッション本体１１０の底面が全体的に支持され、外部から加えられる電磁波が遮られる授乳クッション支持パネル１２０と、上記授乳クッション支持パネル１２０の底面に配置されて、母乳授乳前後の上記ベビーＢの体重が測定されるロードセル１３０と、上記ロードセル１３０が加圧されるように授乳クッション支持パネル１２０が置かれた状態で上記授乳クッション支持パネル１２０に置かれている授乳クッション本体１１０を包む外被部材１４０と、上記ロードセル１３０で測定される母乳授乳前後の上記ベビーＢの体重が表示され、上記外被部材１４０に選択的に着脱可能に設置されて、母乳授乳量をモニタリングすることができるデジタル装置１５０とを含むことを特徴とする。
【００３３】
以下、本発明の母乳授乳量をモニタリングすることができる授乳クッション１００を構成するそれぞれの構成要素とこれらの結合関係及びこれによる作用・効果を具体的に説明する。
【００３４】
まず、本発明の母乳授乳量をモニタリングすることができる授乳クッション１００において、上記授乳クッション本体１１０は上側にベビーＢの体が支持される支持溝１１０ａが凹まれるように形成されていて、上記支持溝１１０ａに母乳授乳対象であるベビーＢが寝かされて楽に支持される手段であって、通常内部に綿を入れて形成するか平らなポリウレタン（ＰＵ）、ポリエチレン（ＰＥ）などのスポンジを入れて形成して、上記ベビーＢを支持する構成要素である。
【００３５】
そして、本発明の母乳授乳量をモニタリングすることができる授乳クッション１００において、上記授乳クッション支持パネル１２０は上記支持溝１１０ａに寝かされているベビーＢに対して外部から印加される有害な電磁波から保護するために、電磁波が遮られる成分が処理され、上記授乳クッション本体１１０の底面に配置されるパネル形態の保護部材である。
【００３６】
この時、電磁波が遮られる上記成分はその種類に制限がなく、電磁波からベビーＢが安全に保護されることができるものであれば、その種類に関係なく、電磁波遮断フィルムも可能である。
【００３７】
また、本発明の母乳授乳量をモニタリングすることができる授乳クッション１００において、上記ロードセル１３０は上記支持溝１１０ａに寝かされているベビーＢの体重を測定するための電子部品であって、上記ベビーＢに対して母乳授乳前と母乳授乳後の体重を測定してこれを表すことができる構成要素として、正確な母乳授乳量をモニタリングするために１０ｇ以内の重量増減までも感知することができるように、精密度が優れた電子式ロードセルが用いられることが好ましい。
【００３８】
特に、上記ロードセル１３０は支持溝１１０ａに寝かされているベビーＢの体重を正確に測定するために、上記授乳クッション本体１１０の底面が堅固に支持された状態で、授乳クッション本体１１０の底面中央部に配置されることが好ましい。
【００３９】
そして、本発明の母乳授乳量をモニタリングすることができる授乳クッション１００において、上記外被部材１４０は授乳クッション本体１１０を全体的に包むと同時に、母乳授乳母Ｍの肩にかけられるか、後述する母乳授乳量測定用授乳椅子２００の授乳椅子支持フレーム２３０にかけられることができるように、両端部が抱っこ紐結合部材１４０ｂによって選択的に結合されたり分離されることができる一対の抱っこ紐部材１４０ａをさらに備えることが好ましい。
【００４０】
また、上記外被部材１４０は、上記ベビーＢが母乳授乳途中に小便などをしたり嘔吐をすることもあるが、汚染に対応することができる防汚機能を有したり、小便などを含んで汚物が流入されないように、ゴアテックス（Ｇｏｒｅ  ｔｅｘ）のような機能性素材で製造されることもできる。
【００４１】
ここで、上記一対の抱っこ紐部材１４０ａの両端部に備えられる上記抱っこ紐結合部材１４０ｂは、ベルクロ部材（ｖｅｌｃｌｏ  ｔａｐｅ）であってもよく、スナップ（ｓｎａｐ）ボタンまたはバックル（ｂｕｃｋｌｅ）ベルトの形態であってもいいが、両端部が必要によって選択的に結合されたり結合されたものが再び解除されることができるものであれば、これに限定されず、その他にも多様な形態で具現されることもできる。
【００４２】
特に、本発明の母乳授乳量をモニタリングすることができる授乳クッション１００において、上記デジタル装置１５０は別途のディスプレイ手段が備えられる別途の専用装置であってもよく、通常のスマートフォンのように母乳授乳量をモニタリングすることができる専用アプリケーション（即ち、専用アプリ）が設置されることができるモバイル器機であってもよい。
【００４３】
この時、上記デジタル装置１５０は上記ロードセル１３０と有無線で連結されて、上記ベビーＢに対して母乳授乳前と母乳授乳後の体重がディスプレイされる電子装置である。
【００４４】
また、図４に示すように、本発明の母乳授乳量をモニタリングすることができる授乳クッション１００は、母乳授乳母ＭがベビーＢを上記支持溝１１０ａに楽に寝かせた後、上記一対の抱っこ紐部材１４０ａが母乳授乳母Ｍの肩にかけられた状態で、母乳授乳前にベビーＢの体重を測定し、母乳授乳後の体重を測定することにより、適正量の母乳を授乳することができる。
【００４５】
従って、母乳授乳前と母乳授乳後にはしばらくの間だけでも上記ベビーＢの体重が正確に上記ロードセル１３０によって測定されることができるようにベビーＢの姿勢を正確に保持させる必要がある。
【００４６】
図５は本発明の授乳量測定のための授乳クッションが授乳椅子に連結されていることを示した外形図である。
【００４７】
図５に示すように、本発明の母乳授乳量測定用授乳椅子２００は、座板部材２１０とフレーム部材２２０を有する通常の椅子に加えて、授乳椅子高さ調節手段２３０ａと授乳椅子結合角度調節手段２３０ｂとが備えられる授乳椅子支持フレーム２３０を備えたものにおいて、上記授乳椅子支持フレーム２３０の一側に上記授乳クッション１００を配置させて、母乳授乳母Ｍが上記座板部材２１０に楽に座った後、ベビーＢは授乳クッション１００の支持溝１１０ａに寝かせた状態で母乳授乳前にベビーＢの体重を測定し、母乳授乳後の体重を測定することができるように構成される。
【００４８】
即ち、本発明の母乳授乳量測定用授乳椅子２００は、授乳クッションが着脱可能に設置される授乳椅子であって、母乳授乳母Ｍが着席する座板部材２１０と、上記座板部材２１０に結合されて、底面に支持されるフレーム部材２２０と、上記フレーム部材２２０に連結され、授乳クッションの授乳椅子の高さを調節することができる授乳椅子高さ調節手段２３０ａと授乳クッション結合角度が調節される授乳椅子結合角度調節手段２３０ｂとが備えられる授乳椅子支持フレーム２３０と、上記支持フレーム２３０に着脱可能に設置されて、母乳授乳量をモニタリングすることができ、一側にはベビーＢの体が支持される支持溝１１０ａが備えられる授乳クッション１００とを含み、上記授乳椅子高さ調節手段２３０ａと授乳椅子結合角度調節手段２３０ｂは上記授乳クッション１００の上記支持溝１１０ａに寝かされている上記ベビーＢが接触されないように配置されることを特徴とする。
【００４９】
ここで、上記授乳椅子高さ調節手段２３０ａと授乳椅子結合角度調節手段２３０ｂは、母乳授乳の間に母乳授乳母Ｍと上記ベビーＢが楽であると同時に、体重の測定をより容易にすることができるようにするために、授乳椅子高さを調節することができるロックキング手段と授乳椅子結合角度を調節することができるまた他のロックキング手段が含まれる。
【００５０】
そして、上記授乳椅子高さ調節手段２３０ａは、通常のカメラスタンドに適用される手段のように、全体長さが設定された状態で固定されるか、必要時に再セッティングすることができるようにするロックキング手段であるだけであって、これと異なる形態で多様に具現されることができることは当たり前であろう。
【００５１】
また、上記授乳椅子結合角度調節手段２３０ｂも、ボルト−ナットで構成されて、必要によって設定された角度で固定されるか、または必要時に角度を異なるようにして再セッティングすることがができるようにするまた他のロックキング手段であるだけであって、その他多様な形態で具現されることができることも当然であろう。
【００５２】
未説明符号２１０ａは母乳授乳母Ｍの健康を図るための会陰部支持溝である。
【００５３】
図６は本発明の授乳量測定のための授乳クッションが授乳テーブルに連結されていることを示した外形図である。
【００５４】
図６に示すように、本発明の授乳量測定のための授乳クッションが設置される授乳テーブル３００は、授乳クッションが着脱可能に設置される授乳テーブルであって、母乳授乳母Ｍが座ったり横になることができるテーブル本体３１０と、上記テーブル本体３１０に結合されて、授乳量授乳測定クッションが置かれることができる授乳テーブル支持部材３２０と、母乳授乳量をモニタリングすることができ、一側にはベビーＢの体が支持される支持溝１１０ａが備えられる授乳クッション１００と、上記授乳テーブル支持部材３２０に結合されて、上記授乳テーブル支持部材３２０の高さを調節することができる授乳テーブル高さ調節手段３４０ａと上記授乳テーブル支持部材３２０の結合角度が調節されることができる授乳テーブル結合角度調節手段３４０ｂとが備えられる授乳テーブル支持フレーム３４０と、上記支持フレーム３４０の最下端部に結合されて、上記テーブル本体３１０が底面Ｆに対して移動されることができる移動用タイヤＷとを含むことを特徴とする。
【００５５】
図７は本発明の授乳量測定のための授乳クッションを活用した授乳方法を示した流れ図である。
【００５６】
図７に示すように、本発明の授乳量測定のための授乳クッションを活用した授乳方法は、母乳授乳母ＭによってベビーＢが授乳クッション１００の授乳クッション本体１１０の支持溝１１０ａに置かれる段階Ｓ１１０と、授乳クッション１００の授乳クッション本体１１０の支持溝１１０ａにベビーＢが置かれた後、ロードセル１３０によって母乳授乳前の体重が測定される段階Ｓ１２０と、測定された母乳授乳前の上記ベビーＢの体重がデジタル装置１５０に表示される段階Ｓ１３０と、母乳授乳母ＭによってベビーＢに母乳授乳が行われる段階Ｓ１４０と、ロードセル１３０によって母乳授乳後の体重が測定される段階Ｓ１５０と、測定された母乳授乳後の上記ベビーＢの体重がデジタル装置１５０に表示される段階Ｓ１６０と、母乳授乳前の上記ベビーＢの体重と母乳授乳後の上記ベビーＢの体重が比較判断される段階Ｓ１７０とを含むことを特徴とする。
【００５７】
従って、上記のように構成される本発明の一実施例の母乳授乳量をモニタリングすることができる授乳クッションと授乳椅子及びこれを活用した母乳授乳量モニタリング方法によれば、母乳授乳母の場合にも母乳授乳量を確認することにより、適正量の母乳を授乳することができるという効果を奏する。
【００５８】
さらに、本発明の授乳量をモニタリングすることができる授乳クッションと授乳椅子及びこれを活用した母乳授乳量モニタリング方法によれば、母乳授乳母ＭによってベビーＢが授乳クッション１００の授乳クッション本体１１０の支持溝１１０ａに置かれた状態で母乳授乳前の上記ベビーＢの体重と母乳授乳後の上記ベビーＢの体重が正確に測定されることができるまた他の効果を奏する。
【００５９】
本発明が属する技術分野における通常の知識を有する者は本発明がその技術的思想や必須特徴を変更しなくても他の具体的な形態で実施されることができることを理解すべきである。
【００６０】
その故、以上で記述した実施例はあらゆる面で例示的なものであり、限定的でないことを理解すべきである。
【００６１】
本発明の範囲は以上の詳細な説明よりは特許請求範囲によって定められ、特許請求範囲の意味及び範囲そしてその均等概念から導出される全ての変更または変形された形態が本発明の範囲に含まれることに解釈すべきである。
【産業上の利用可能性】
【００６２】
本発明は適正量の母乳授乳が可能でありながら、母乳授乳前後のベビーの体重の測定が可能であるので、乳児を対象とする乳児用品分野に適用されることができる。
【図１】
2018512199.tif 000003
【図２】
2018512199.tif 000004
【図３】
2018512199.tif 000005
【図４】
2018512199.tif 000006
【図５】
2018512199.tif 000007
【図６】
2018512199.tif 000008
【図７】
2018512199.tif 000009
【国際調査報告】
2018512199.tif 000010
2018512199.tif 000011
2018512199.tif 000012
2018512199.tif 000013